(57)【要約】      （修正有）【課題】移動する吸込グリルと、吸込グリルの下端面を凹部に収める前面パネルとの間の回動用隙間を目立たなくするとともに、樹脂成形品である吸込グリルの表面に発生するヒケも目立たなくさせることができる空気調和機の室内機を提供する。【解決手段】筐体を覆う前面パネル２２と、前面パネルの上端に開閉可能に軸支され前面パネルの前面を覆う吸込グリル２３を備え、吸込グリルは吸込グリルの下端面２３３が前面パネルに設けた凹部２２３に収まるとともに、凹部と吸込グリルの下端面との間に回動用隙間２６を有し、吸込グリルは下端面の一部に下方に延出するリブ２３４を設け、リブで隙間を覆うとともに、下端面とリブの前方下端部２３４ａを繋ぐ凹状の弧面２３５を設ける。【選択図】図１１
2018084369.tif 000002
【特許請求の範囲】
【請求項１】
筐体を覆う前面パネルと、前記前面パネルの上面部に開閉可能に軸支され前記前面パネルの前面を覆う吸込グリルを備え、前記吸込グリルは前記吸込グリルの下端面が前記前面パネルに設けた凹部に収まるとともに、前記凹部と前記吸込グリルの下端面との間に前記吸込グリル回動用隙間を設けた空気調和機の室内機であって、
前記吸込グリルは、前記下端面の一部に下方に延出するリブを設け、前記リブで前記回動用隙間を覆うとともに、前記下端面と前記リブの前方下端部を繋ぐ凹状の弧面を設けることを特徴とする空気調和機の室内機。
【請求項２】
前記吸込グリルの前記下端面の両端部には、前記リブがさらに下方に延出して形成された手掛部を有し、前記弧面が前記手掛部となだらかに繋がることを特徴とする請求項１に記載の空気調和機の室内機。
【発明の詳細な説明】
【技術分野】
【０００１】
本発明は、空気調和機の室内機の構造に関するものである。
【背景技術】
【０００２】
従来の空気調和機の室内機９０は、図１５（ａ）（ｂ）に示すように、その筐体を樹脂成型品の前面パネル９２で覆い、前面パネル９２の上端に開閉可能に軸支され前面パネル９２の前面を覆う樹脂成型品の吸込グリル９３が設けられている。そして吸込グリル９３を上方に開けることで内部のフィルターや熱交換器（図示無し）を清掃できる構造となっている。（例えば特許文献１参照）
【０００３】
前面パネル９２と吸込グリル９３の下部の勘合部９４では吸込グリル９３の下端面９３１が前面パネル９２の凹部９２１に嵌るようになっているが、吸込グリル９３は回動するため、部品同士の間に隙間９５を設ける必要があった。この勘合部９４は、ユーザーＮ１が見上げる位置に当たることで、隙間９５が目立ち外観の印象を悪く見せてしまっていた。
【０００４】
そこで、隙間９５を隠すために、図１５（ｃ）（ｄ）に示すように、吸込グリル９３の下端面９３１からさらに下方に延出させたフランジ９６を隙間９５の上に被せる構造とするものもある。この場合、吸込グリル９３の下端面９３１とフランジ９６の根元が厚肉となり、吸込グリル９３の表面にヒケ９７が発生し、やはり意匠の外観を悪く見せてしまっていた。
【先行技術文献】
【特許文献】
【０００５】
【特許文献１】特開２０１４−１２６２４４号公報
【発明の概要】
【発明が解決しようとする課題】
【０００６】
本発明の課題は、移動する吸込グリルと、吸込グリルの下端面を凹部に収める前面パネルとの間の回動用隙間を目立たなくするとともに、樹脂成形品である吸込グリルの表面に発生するヒケも目立たなくさせるものである。
【課題を解決するための手段】
【０００７】
本発明は、筐体を覆う前面パネルと、前記前面パネルの上端に開閉可能に軸支され前記前面パネルの前面を覆う吸込グリルを備え、前記吸込グリルは前記吸込グリルの下端面が前記前面パネルに設けた凹部に収まるとともに、前記凹部と前記吸込グリルの下端面との間に前記吸込グリル回動用隙間を設けた空気調和機の室内機であって、
前記吸込グリルは、前記下端面の一部に下方に延出するリブを設け、前記リブで前記回動用隙間を覆うとともに、前記下端面と前記リブの前方下端部を繋ぐ凹状の弧面を設けることを特徴とする。
【０００８】
また、前記吸込グリルの前記下端面の両端部には、前記リブがさらに下方に延出して形成された手掛部を有し、前記弧面が前記手掛部となだらかに繋がることも含まれる。
【発明の効果】
【０００９】
以上のように、移動する樹脂成型品の吸込グリルと、吸込グリルの下端面を凹部に収める前面パネルとの間の回動用隙間を、吸込グリルの下端面の一部に下方に延出するリブを設け、このリブで回動用隙間を覆うとともに下端面とリブの前方下端部を繋ぐ凹状の弧面を設けることで、隙間を目立たなくするとともに、樹脂成形品に発生するヒケも目立たなくさせることができる空気調和機の室内機となる。
【図面の簡単な説明】
【００１０】
【図１】本発明の空気調和機の室内機の斜視図である。
【図２】図１の空気調和機の室内機の中央部の垂直断面図である。
【図３】本発明の空気調和機の室内機の部分正面図である。
【図４】本発明の空気調和機の室内機の右側面図である。
【図５】本発明の空気調和機の室内機の運転状態の斜視図である。
【図６】図３のＡ−Ａ断面の部分拡大図である。
【図７】図３のＢ−Ｂ断面の部分拡大図である。
【図８】図３のＣ−Ｃ断面の部分拡大図である。
【図９】図３のＤ−Ｄ断面の部分拡大図である。
【図１０】（ａ）は冷房運転時に気流の一具体例を示す概念図で、（ｂ）は暖房運転時に気流の一具体例を示す概念図である。
【図１１】図２のＸ部拡大図である。
【図１２】本発明の空気調和機の室内機の手掛部の拡大図である。
【図１３】本発明の実施例２の空気調和機の室内機の斜視図である。
【図１４】本発明の実施例２の空気調和機の室内機の運転状態の部分拡大斜視図である。
【図１５】従来例の空気調和機の室内機で、（ａ）は従来例１の斜視図で、（ｂ）は従来例１の中央部の垂直拡大断面図で、（ｃ）は従来例２の部分斜視図で、（ｄ）は従来例２の中央部の垂直拡大断面図である。
【発明を実施するための形態】
【００１１】
以下、本発明を実施するための形態を、添付図面に基づいた実施例として詳細に説明するが、本発明はこれに限定されるものではない。
【００１２】
本発明の空気調和機１は屋外に設置される室外機（図示なし）と空調室Ｒの天井近くの壁面に取り付けられる室内機１１を有し、室外機と室内機１１がガス管と液管（いずれも図示なし）で接続されて冷媒回路を形成する。
【実施例１】
【００１３】
図１〜図４に示すように室内機１１は、本体ユニット１２と本体ユニット１２の左右両側面に取り付けられた一対のファンユニット３０、３１を有する。また、ファンユニット３０、３１はどちらか一方だけでも良い。本体ユニット１２は後述する吸込口１６から空調室Ｒの室内空気を吸い込み冷媒と熱交換をして冷気または暖気を生成して空調室Ｒに吹き出し、ファンユニット３０、３１は室内空気を吸い込んでその室内空気を空調室Ｒに吹き出す。
【００１４】
本体ユニット１２は横長の直方体形状であり、内部に本体ユニット１２の長手方向と平行にクロスフローファンタイプの第１送風ファン１３と第１送風ファン１３の周囲を囲む熱交換器１４を備える。第１送風ファン１３は本体ユニット１２の横方向の片側で第１ファンモータ（図示なし）に軸支される。第１ファンモータと熱交換器１４は、ケーシング１５に支えられ、ケーシング１５は吸込口１６から後述する吹出口１７までの送風路１８を形成する。
【００１５】
本体ユニット１２の外郭は、主に樹脂成型品の前面パネル２２で覆われる。前面パネル２２は本体ユニット１２の前面を覆うパネル前面部２２ａと上面を覆うパネル上面部２２ｂと底面の前面側を覆うパネル底面部２２ｃを有する。また、前面パネル２２のパネル前面部２２ａの前面は開閉可能に取り付けられる樹脂成型品の吸込グリル２３で覆われる。また、ケーシング１５により形成される送風路１８の出口となる吹出口１７に取り付けられ運転停止時は吹出口１７を塞ぐ上風向板２０ａと下風向板２０ｂからなる上下風向板２０も備える。また、下風向板２０ｂよりも下方でケーシング１５を塞ぐ底板２１も備える。さらに本体ユニット１２の左右側面には、ファンユニット３０、３１を収容する側面カバー４０、４１が設けられる。
【００１６】
前面パネル２２のパネル上面部２２ｂは一部開口され吸込口１６となる。また、前面パネル２２の内側で熱交換器１４との間にはフィルタ２４と、このフィルタ２４を自動で清掃するフィルタ清掃ユニット２５が設けられている。
【００１７】
尚、図１において室内機１１の吸込グリル２３のある面を前面（前方）とし、前面の対面を背面（後方）とし、図面上でファンユニット３０のある側を右側面（右方）とし、ファンユニット３１のある側を左側面（左方）とし、図面上で底板２１のある面を底面（下方）とし、その対面を上面（上方）とし、図２において高さＨが示す底面から天面に向かう上下方向を高さとし、奥行きＤが示す前面から背面に向かう前後方向を奥行きとして以下説明する。
【００１８】
図２において本体ユニット１２は高さＨよりも奥行きＤの寸法が長く、底面が背面から前方に向かい徐々に上方に向かって傾斜する略台形形状をなす。本体ユニット１２は第１ファンモータの回転により第１送風ファン１３が回転することで吸込口１６から取り入れられた室内空気を、熱交換器１４で冷媒と熱交換して冷気または暖気にして送風路１８を通過して吹出口１７から上風向板２０ａと下風向板２０ｂで風向調整をして空調室Ｒに吹き出す。
【００１９】
前面パネル２２に取り付けられる吸込グリル２３は、背面上端に設けたアーム（図示なし）を前面パネル２２のパネル上面部２２ｂに開閉可能に軸支され、背面下端に設けたラッチ（図示なし）を前面パネル２２のパネル前面部２２ａに係止することで固定される。吸込グリル２３は、フラットな前面から左右端に掛けて後方に緩やかに傾斜する側部傾斜面２３１を備える。また、下部には前面パネル２２のパネル底面部２２ｃと連結するように後方に傾斜する下部傾斜面２３２を備える。
【００２０】
図１１と図１２を参照して、吸込グリル２３はその下端面２３３が前面パネル２２に設けた凹部２２３に収まるようになっている。凹部２２３と吸込グリル２３の下端面２３３との間には吸込グリル２３が回動するときの軌道を確保するために回動用隙間２６を設けている。吸込グリル２３は、下端面２３３の一部に下方に延出するリブ２３４を設けている。リブ２３４で回動用隙間２６を覆うことで、回動用隙間２６をユーザーＮの視線から隠している。
また、下端面２３３とリブ２３４の前方下端部２３４ａを繋ぐ凹状の弧面２３５を設けている。
リブ２３４を下端面２３３から設けることで、吸込グリル２３の表面２３７とリブ２３４が面一にはならず段差２３４ｂができるが、段差２３４ｂがあることでヒケの発生を抑えることはできる。そして、下端面２３３とリブ２３４の前方下端部２３４ａを繋ぐ凹状の弧面２３５を設けることで、吸込グリル２３の表面２３７とリブ２３４がなだらかに繋がり段差２３４ｂが目立つことが無くなる。
【００２１】
また、吸込グリル２３の下端面２３３の両端部２３６には、吸込グリル２３を開閉するためにリブ２３４がさらに下方に延出して形成された手掛部２７を有する。弧面２３５は手掛部２７となだらかに繋がることで、手掛部２７の突出感を軽減させている。
手掛部２７の下部に位置する前面パネル２２のパネル底面部２２ｃには手掛部２７に合わせた手掛用凹部２２１を有する。
【００２２】
図１〜図４に示すように吸込グリル２３の上端には帯状の飾り板２８が取り付けられている。飾り板２８は表面に鏡面仕上げがされたメタリック加工を施したものである。尚、飾り板２８は設けなくてもよい。
【００２３】
側面カバーには本体ユニット１２の右側面となりファンユニット３０を収容する側面カバー４０と、本体ユニット２の左側面となりファンユニット３１を収容する側面カバー４１があり、側面カバー４０、４１は対称形であるため、ここでは側面カバー４０について説明する。尚、同様にファンユニット３０、３１も対称形であるため、ここではファンユニット３０について説明する。
【００２４】
図５は室内機１１の運転時の斜視図である。側面カバー４０は、前面パネル２２の側壁面２２ｄの後端に取り付けられ側壁面２２ｄと同一面を形成する壁面部４０ａと、壁面部４０ａより外側に突出してファンユニット３０の背面側を収容する背面部４０ｂと、底面において上下風向板２０と底板２１と同一面になる底面部４０ｃを有する。
【００２５】
ファンユニット３０は側面カバー４０の壁面部４０ａに対して回動自在に支持される。ここではファンユニット３０は壁面部４０ａに交差し、ファンユニット３０を回動させる図示しないファンユニットモータの駆動軸線上に合わせた仮想の回転軸回りを回動可能となる。運転停止時の図４の状態から運転時の最大回動時の図５の状態の間を移動する。本実施例においてファンユニット３０の仮想の回転軸は水平軸線３２とする。
【００２６】
図１と図３と図４と図６に示すファンユニット３０の外郭は、ファンケース３３と後述する風向板５１を有する風向装置５０で形成される。ファンケース３３は、前面パネル２２側にあり図示しないファンユニットモータと後述する第２ファンモータが固定された第１ファンケース３４と、空調室Ｒ側にあり室内機１１の運転停止状態の時に本体ユニット１２と一体に見えるように天面および底面が本体ユニット２と同一面となるように設けられ、右側面から見て後方が半円形となった第２ファンケース３５で形成される。第２ファンケース３５は、第１ファンケース３４に被さるように取り付けられ、第１ファンケース３４と第２ファンケース３５の内部で後述する送風路３９を形成する。
第２ファンケース３５の側面には均等に丸孔を抜き加工した板金で形成された補助吸込口３６を備える。第２ファンケース３５の上端には飾り板２８と連続したように視認される飾り板３８が取り付けられている。飾り板３８も表面に鏡面仕上げがされたメタリック加工を施したものである。また、飾り板２８を設けない場合は、飾り板３８も設けないものとなる。
【００２７】
ファンユニット３０の内部は、図示しないシロッコファンタイプの第２送風ファンと、第２送風ファンを回転させる第２ファンモータを備え、補助吸込口３６と後述する補助吹出口３７を結ぶ送風路３９となる。第２送風ファンは第２ファンモータの駆動により室内空気を補助吸込口３６から吸い込み、送風路３９を経由して補助吹出口３７から吹き出す。
【００２８】
補助吹出口３７は、第２ファンケース３５の前面で本体ユニット１２側を切り欠いた形に設けられる。補助吹出口３７は、高さを吸込グリル２３の高さに揃えた短冊状に開口されている。補助吹出口３７には上下が補助吹出口３７に軸支され運転時には左右に回動する風向装置５０を備える。風向装置５０は、１枚の板状で補助吹出口３７を覆うとともに本体ユニット１２側の端辺５１ａが本体ユニット１２側に延出し前面パネル２２の前方に重なる風向板５１を備える。風向板５１は補助吹出口３７よりも前方に位置し、吸込グリル２３の側部傾斜面２３１に合わせ緩やかに湾曲して吸込グリル２３と連続した面と見えるようになっている。
【００２９】
風向板５１の背面側には、風向板５１と平行で同じ高さがあり幅が風向板５１よりも短い補助風向板５２を備える。風向板５１と補助風向板５２は下端の軸板５３で繋がれる。軸板５３には下方へ延出する軸５４を備える。そしてモータの駆動により軸５４を回転軸として図１の運転停止状態から、図４の運転状態まで、風向板５１の先端部５１ａが本体ユニット１２側から空調室Ｒ側である外側に向かって回動する。大型の風向板５１と補助風向板５２で風向制御されて吹き出された空気は、空調室Ｒに向かって吹き出される。
【００３０】
また、ファンユニット３０を駆動する図示しないファンユニットモータも内部に備え、ファンユニットモータによりファンユニット３０は、水平線軸３２の周りを上下方向に最大６０度まで回動することができる。ファンユニット３０が回動する時に本体ユニット１２との接触を避けるため第１ファンケース３４と、本体ユニット１２の側面を構成する前面パネル２２の側壁面２２ｄおよび側面カバー４０の壁面部４０ａとの間には隙間Ｓ１が設けられている。
【００３１】
図３のＢ−Ｂ断面図の図７とＣ-Ｃ断面図の図８を合わせて参照して、隙間Ｓ１をユーザーＮに視認させないために、第２ファンケース３５は、補助吹出口３７の上端部３５１と補助吹出口３７の下端部３５２の本体ユニット１２側の端辺３５１ａと３５２ａが、それぞれ本体ユニット１２側に延出し前面パネル２２の前方に重なる。これにより、風向板５１とともに隙間Ｓ１を覆い隠すことで意匠性を向上させる。
【００３２】
上端部３５１の端辺３５１ａと下端部３５２の端辺３５２ａと風向板５１の端辺５１ａが前面パネル２２に重なったときに、吸込グリル２３はそれぞれと接触しないように左右の幅Ｗ１を前面パネル２２の左右の幅Ｗ２よりも狭く形成している。また端辺３５１ａ、３５２ａ、５１ａと吸込グリル２３の合わせ目にできる隙間Ｓ２を塞ぐために、前面パネル２２はパネル前面部２２ａの側壁面２２ｄ近傍の端部が前方を突出させた突出部２２ｅを設けている。
【００３３】
突出部２２ｅは隙間Ｓ２よりも広い幅Ｗ３を備えることで、隙間Ｓ２が目立たなくなり、本体ユニット１２の吸込グリル２３とファンユニット３０が連続した平面に見える。また突出部２２ｅは、運転から運転停止に至る際に風向板５１の端辺５１ａを突出部２２ｅに当てることで、風向板５１の回動を抑制する役割も持つ。
【００３４】
第２ファンケース３５の上端部３５１は、吸込グリル２３の形状に合わせて形成される。上端部３５１が前面から上面まで連続して形成された場合は、図３のＤ−Ｄ断面図である図９に示すように、前面パネル２２には本体ユニット１２の上面まで回り込んだ上面部３５３が回動する際に接しないように上部傾斜面２２２を設けている。
【００３５】
また、下端部３５２は、図１と図３に示すように吸込グリル２３の下部傾斜面２３２に形状を合わせて形成されている。よって室内機１１の底面に位置する側面カバー４０とファンユニット３０の間の隙間Ｓ１は残るが、天井や正面から室内機１１に光が当たった時には底面は室内機１１の影の部分となることで、見えにくくなる。
【００３６】
次にファンユニット３０、３１の効果を説明する。室内機１１が運転を開始すると、図５に示すように上風向板２０ａと下風向板２０ｂが回動し、吸込口１６から吸い込んで冷媒と熱交換して冷気または暖気となった空気を空調室Ｒに吹き出すとともに、ファンユニット３０、３１が水平線軸３２回りで回動する。その際に補助吹出口３７も上下に回動して補助吹出口３７が向く方向が変位して補助吹出口３７から吹き出される気流の向きは上下方向に偏向することができる。補助吹出口３７の風向装置５０はモータで変位して補助吹出口３７から吹出される気流の向きを、水平方向に偏向させることができる。
【００３７】
たとえば冷房運転が設定されると、図１０（ａ）に示すように本体ユニット１２から熱交換されて風向板２０で水平方向に吹き出された冷気ＣＡは、室内空気よりも重いため徐々に下降する。その場合にファンユニット３０、３１を吹出口１７よりも下方に向けて補助吸込口３６から空気を吸い込み、補助吹出口３７から下方に向けて吹き出す。補助吹出口３７から吹き出された空気Ａ１の流れにより、冷気ＣＡは持ち上げられてすぐに下降せずに空調室Ｒに広く吹きわたるとともに、ユーザーには直接冷気が当たらないことで心地よい涼感を与えることができる。
【００３８】
また暖房運転が設定されると、図１０（ｂ）に示すように本体ユニット１２から熱交換されて風向板２０で下方方向に吹き出された暖気ＷＡは、室内空気よりも軽いため徐々に上昇する。その場合にファンユニット３０、３１を吹出口１７よりも上方に向けて補助吸込口３６から空気を吸い込み、補助吹出口３７から上方に向けて吹き出す。補助吹出口３７から吹き出された空気Ａ２の流れにより、暖気ＷＡは押え込まれてすぐに上昇せずに空調室Ｒに広く吹きわたるとともに、ユーザーには足元が温まり心地よい暖感を得ることができる。
【００３９】
空気調和機が運転を停止すると、ファンユニット３０、３１は上方に回動して図１に示す運転停止位置に戻る。そして風向装置５０の風向板５１は閉じられる。この状態では本体ユニット１２とファンユニット３０、３１の間の隙間Ｓ１はファンケースの上端部３５１と下端部３５２および風向板５１に覆われることで視認されない。吸込グリル２３とファンケース３３は、連続した平面と見られることで美観にすぐれた意匠となる。
【実施例２】
【００４０】
図１３と図１４に示す空気調和機の室内機１１ａのファンケース３３は、第２ファンケース３５の下端部３５２に連なるケース底面部３５５を有し、下端部３５２の端辺３５２ａとケース底面部３５５の端辺３５５ａが連続して本体ユニット１２側に延出して重なり隙間Ｓ１を覆うものである。よって延出した端辺３５５ａの幅と板厚に合わせ、前面パネル２２のパネル底面部２２ｃと側面カバー４０の底面部４０ｃは端辺３５５ａを収める段部２９を形成する。
【００４１】
また、側面カバー４０の側壁部４０ａには、ファンユニット３０が回動する際に本体ユニット１２側に延出したケース底面部３５５の端辺３５５ａの軌道に合わせ端辺３５５ａが収容される溝部４２が設けられている。溝部４２は運転停止時には端辺３５５ａで隠されるためユーザーＮに視認されることはない。これにより隙間Ｓ１は下方からもユーザーＮから視認されることがない。ファンケース３５と風向板５１がそれぞれ本体ユニット側に延出し本体ユニット１２の上に重なり隙間Ｓ１を覆うことで、美観に優れ意匠性を向上させた空気調和機の室内機となる。
【００４２】
以上のように、本体ユニットと、本体ユニットの側面に隙間Ｓ１を設けて取り付けられたファンユニット３０、３１を有する空気調和機の室内機１１において、ファンユニット３０、３１は、ファンケース３３と風向板５１を有し、ファンケース３３と風向板５１がそれぞれ本体ユニット１２側に延出し本体ユニット１２の前方に重なり隙間Ｓ１を覆うことで隙間Ｓ１を隠し、一体の室内機１１に見えるようしたことで、美観に優れ意匠性を向上させた空気調和機の室内機となる。
【００４３】
また、移動する樹脂成型品の吸込グリル２３と、吸込グリル２３の下端面２３３を凹部２２３に収める前面パネル２２との間の回動用隙間２６を、吸込グリル２３の下端面２３３の一部に下方に延出するリブ２３４を設け、このリブ２３４で回動用隙間２６を覆うとともに下端面２３３とリブ２３４の前方下端部２３４ａを繋ぐ凹状の弧面２３５を設けることで、回動用隙間２６を目立たなくするとともに、樹脂成形品である吸込グリル２３の表面２３７に発生するヒケも目立たなくさせることができる空気調和機の室内機となる。
【符号の説明】
【００４４】
１１・１１ａ：室内機、１２：本体ユニット、１７：吹出口
２０：上下風向板
２２：前面パネル、２２ａ：パネル前面部、２２ｂ：パネル上面部、２２ｃ：パネル底面部、２２ｄ：側壁面、２２ｅ：突出部
２３：吸込グリル、２３２：下部傾斜面、２３３：下端面、２３４：リブ、２３５：弧面、２６：回動用隙間、２７：手掛部
３０・３１：ファンユニット、３３：ファンケース、３４：第１ファンケース、３５：第２ファンケース、３５１：上端部、３５１ａ：端辺、３５２：下端部、３５２ａ：端辺、３５３：上面部、３５５：ケース底面部、３５５ａ：端辺
３６：補助吸込口、３７：補助吹出口
４０・４１：側面カバー
５０：風向装置、５１：風向板、５１ａ：端辺
Ｒ：空調室、Ｓ１・Ｓ２：隙間、Ｎ：ユーザー
【図１】
2018084369.tif 000003
【図２】
2018084369.tif 000004
【図３】
2018084369.tif 000005
【図４】
2018084369.tif 000006
【図５】
2018084369.tif 000007
【図６】
2018084369.tif 000008
【図７】
2018084369.tif 000009
【図８】
2018084369.tif 000010
【図９】
2018084369.tif 000011
【図１０】
2018084369.tif 000012
【図１１】
2018084369.tif 000013
【図１２】
2018084369.tif 000014
【図１３】
2018084369.tif 000015
【図１４】
2018084369.tif 000016
【図１５】
2018084369.tif 000017